(57)【要約】【課題】ネットワークに接続された監視装置及び／又は制御装置の最新の設定情報を確実にバックアップ可能な機器管理システムを提供する。【解決手段】被監視機器から監視情報を取得する監視動作を行う監視装置２２ａ、被制御機器を制御するための制御情報を送出する制御動作を行う制御装置２１ａ，２１ｂが上位ネットワークＮＴ１に接続され、上位ネットワークＮＴ１に接続されて監視装置２２ａから監視情報を取得して表示する監視機能、制御装置２１，２１ｂへ制御情報を送出する制御機能を有する管理サーバ１が接続された機器管理システムにおいて、監視装置２２ａ、制御装置２１ａ，２１ｂは、監視動作及び／又は制御動作を行うための設定情報を有し、管理サーバ１は、監視装置２２ａ、制御装置２１ａ，２１ｂから設定情報を継続的に取得して保存する設定情報管理手段を備える。【選択図】図１
2009009246.tif 000002
【特許請求の範囲】
【請求項１】
被監視機器を接続されて当該被監視機器から監視情報を取得する監視動作を行う監視装置及び／又は被制御機器を接続されて当該被制御機器を制御するための制御情報を送出する制御動作を行う制御装置が通信ネットワークに接続され、当該通信ネットワークに接続されて監視装置から監視情報を取得して表示する監視機能及び／又は制御装置へ制御情報を送出する制御機能を有する監視制御端末が接続された機器管理システムにおいて、
監視装置及び／又は制御装置は、監視動作及び／又は制御動作を行うための設定情報を有し、
監視装置及び／又は制御装置から設定情報を継続的に取得して第１の記憶手段に保存する設定情報管理手段を通信ネットワークに接続する
ことを特徴とする機器管理システム。
【請求項２】
前記通信ネットワークとの間で情報授受可能な第２の記憶手段と、前記監視装置及び／又は制御装置の動作不具合を検出する不具合検出手段と、第１の記憶手段に保存されている設定情報のうち、不具合検出手段によって動作不具合を検出された監視装置又は制御装置の設定情報を第２の記憶手段に保存する情報保存手段とを備えることを特徴とする請求項１記載の機器管理システム。
【請求項３】
前記第２の記憶手段は、前記監視装置及び／又は制御装置に脱着可能な外部記憶メモリであり、前記監視装置及び／又は制御装置は、外部記憶メモリから設定情報を取得し、当該取得した設定情報に基づいて被監視機器の監視動作及び／又は被制御機器の制御動作を行う自己設定機能を有することを特徴とする請求項２記載の機器管理システム。
【請求項４】
前記第２の記憶手段は、前記監視装置又は制御装置と同等の機能を備えた予備装置の記憶部であることを特徴とする請求項２記載の機器管理システム。
【請求項５】
前記予備装置は、次回の起動時に自己の設定情報を記憶部に保存された設定情報に書き換える自己設定機能を有することを特徴とする請求項４記載の機器管理システム。
【請求項６】
前記不具合検出手段が動作不具合を検出するまでは、前記第２の記憶手段に前記監視制御端末の設定情報が保存されることを特徴とする請求項２記載の機器管理システム。
【請求項７】
前記監視装置及び／又は制御装置は、自装置のハード構成を特定する種別情報を具備しており、
前記第２の記憶手段は、各種別情報に対応して設けられ、
前記情報保存手段は、前記不具合検出手段によって動作不具合を検出された監視装置又は制御装置が具備する種別情報に対応する第２の記憶手段に、当該動作不具合を検出された監視装置又は制御装置の設定情報を保存することを特徴とする請求項４記載の機器管理システム。
【発明の詳細な説明】
【技術分野】
【０００１】
本発明は、機器管理システムに関するものである。
【背景技術】
【０００２】
図１０は、従来の機器管理システムの構成を示し、管理サーバ１０１と、制御装置１２１と、監視装置１２２とが、インターネット等の上位ネットワークＮＴ１を介して互いに接続されている。制御装置１２１、監視装置１２２は、同一のハードウェア（プラットフォーム）からなるInternet Interface Unit（以下、コントロールユニットと称す）１２０で構成され、コントロールユニット１２０内に格納したプログラム及び設定情報によって制御装置１２１、監視装置１２２の各機能が実現されるとともに、上位ネットワークＮＴ１を介した通信が可能となる。設定情報とは、プログラム実行時に与えられるデータ（例えば、照明制御のプログラムであれば、パターン制御のデータ等）、及びＩＰアドレス等のネットワーク通信情報である。
【０００３】
制御装置１２１として、照明制御を行う機能を具備した制御装置１２１ａと、ＬＥＤ制御を行う機能を具備した制御装置１２１ｂがある。制御装置１２１ａは、下位ネットワークＮＴ２ａを介して複数の照明器具Ｋ１〜Ｋ５（被制御機器）が接続されており、照明器具Ｋ１〜Ｋ５の点灯、消灯、調光制御等を行う。制御装置１２１ｂは、下位ネットワークＮＴ２ｂを介して複数のＬＥＤ器具Ｋ１１〜Ｋ１４（被制御機器）が接続されており、ＬＥＤ器具Ｋ１１〜Ｋ１４の点灯、消灯、調光制御等を行う。
【０００４】
監視装置１２２には、電力計量を行う機能を具備した監視装置１２２ａがあり、下位ネットワークＮＴ２ｃを介して複数の電気器具Ｋ２１〜Ｋ２６（被監視機器）が接続されており、電気器具Ｋ２１〜Ｋ２６の各消費電力を計量した監視情報を取得する。
【０００５】
管理サーバ１０１は、上位ネットワークＮＴ１を介して、制御装置１２１ａ，１２１ｂ、監視装置１２２ａとの間で互いに通信を行い、照明器具Ｋ１〜Ｋ５を制御するための制御情報を制御装置１２１ａへ送出し、ＬＥＤ器具Ｋ１１〜Ｋ１４を制御するための制御情報を制御装置１２１ｂへ送出し、さらには監視装置１２２ａから電気器具Ｋ２１〜Ｋ２６の消費電力の監視情報を取得して表示する。（例えば、特許文献１参照）。
【特許文献１】特開２００６−３９９６５号公報
【発明の開示】
【発明が解決しようとする課題】
【０００６】
上記従来の機器管理システムでは、制御装置１２１ａ，１２１ｂ、監視装置１２２ａが故障前の正常な状態のときに、各々の設定データを手作業で１台ずつ予めバックアップしておき、いずれかの装置が故障した場合、当該装置のバックアップしておいた設定データを、予備装置として用意しておいた図示しないコントロールユニット１２０に格納（リストア）し、リストアした予備装置を故障した装置と交換していた。
【０００７】
しかし、全ての装置の設定データを手作業でバックアップすることは、非常に手間がかかる作業であり、さらにバックアップされている設定情報が最新のデータではなく、故障前の装置に格納されていた設定情報より古い場合もあり得る。したがって、予備装置に格納された設定情報が最新のデータであるとは限らないため、予備装置に格納された設定情報を故障した装置内の設定データと比較して修正したり、あるいは予備装置を実際に動作させながら設定情報を修正する必要があった。
【０００８】
さらに、設定情報のリストアは、装置の交換を行う際に作業を始めなければならず、故障発見後のシステム停止時間（システム全体ではなく、故障した装置の停止時間）がリストアに要する時間だけ長くなってしまう。
【０００９】
また、ネットワークで接続された広域システム（例えば、群管理やエリアマネジメントシステム）の場合、各種機能を有する装置がネットワークに接続される。これらの各装置は、開発効率化のためにハードウェア（プラットフォーム）を共通化しているが、この共通化による利点をシステム運用時にも生かしたいという要望がある。
【００１０】
本発明は、上記事由に鑑みてなされたものであり、その目的は、ネットワークに接続された監視装置及び／又は制御装置の最新の設定情報を確実にバックアップ可能な機器管理システムを提供することにある。
【課題を解決するための手段】
【００１１】
請求項１の発明は、被監視機器を接続されて当該被監視機器から監視情報を取得する監視動作を行う監視装置及び／又は被制御機器を接続されて当該被制御機器を制御するための制御情報を送出する制御動作を行う制御装置が通信ネットワークに接続され、当該通信ネットワークに接続されて監視装置から監視情報を取得して表示する監視機能及び／又は制御装置へ制御情報を送出する制御機能を有する監視制御端末が接続された機器管理システムにおいて、監視装置及び／又は制御装置は、監視動作及び／又は制御動作を行うための設定情報を有し、監視装置及び／又は制御装置から設定情報を継続的に取得して第１の記憶手段に保存する設定情報管理手段を通信ネットワークに接続することを特徴とする。
【００１２】
この発明によれば、設定情報管理手段が、ネットワークに接続されている監視装置及び／又は制御装置から設定情報を継続的に取得して、最新の設定情報を確実にバックアップするので、監視装置及び／又は制御装置が故障のため動作しなくなったときでも、保存された最新の設定情報を用いて迅速なシステムの復旧が可能となる。
【００１３】
請求項２の発明は、請求項１において、前記通信ネットワークとの間で情報授受可能な第２の記憶手段と、前記監視装置及び／又は制御装置の動作不具合を検出する不具合検出手段と、第１の記憶手段に保存されている設定情報のうち、不具合検出手段によって動作不具合を検出された監視装置又は制御装置の設定情報を第２の記憶手段に保存する情報保存手段とを備えることを特徴とする。
【００１４】
この発明によれば、不具合が生じた監視装置及び／又は制御装置の設定情報が第２の記憶手段に保存されるので、不具合が生じた監視装置及び／又は制御装置の設定情報を特定することが容易となり、迅速なシステムの復旧が可能となる。
【００１５】
請求項３の発明は、請求項２において、前記第２の記憶手段は、前記監視装置及び／又は制御装置に脱着可能な外部記憶メモリであり、前記監視装置及び／又は制御装置は、外部記憶メモリから設定情報を取得し、当該取得した設定情報に基づいて被監視機器の監視動作及び／又は被制御機器の制御動作を行う自己設定機能を有することを特徴とする。
【００１６】
この発明によれば、不具合が生じた監視装置及び／又は制御装置に外部記憶メモリを装着し、当該装置の自己設定機能を用いることによって、迅速なシステムの復旧が可能となる。
【００１７】
請求項４の発明は、請求項２において、前記第２の記憶手段は、前記監視装置又は制御装置と同等の機能を備えた予備装置の記憶部であることを特徴とする。
【００１８】
この発明によれば、不具合が生じた監視装置及び／又は制御装置を予備装置と交換することで、迅速なシステムの復旧が可能となる。
【００１９】
請求項５の発明は、請求項４において、前記予備装置は、次回の起動時に自己の設定情報を記憶部に保存された設定情報に書き換える自己設定機能を有することを特徴とする。
【００２０】
この発明によれば、不具合が生じた監視装置及び／又は制御装置を予備装置と交換した後の設定が不要となり、迅速なシステムの復旧が可能となる。
【００２１】
請求項６の発明は、請求項２において、前記不具合検出手段が動作不具合を検出するまでは、前記第２の記憶手段に前記監視制御端末の設定情報が保存されることを特徴とする。
【００２２】
この発明によれば、第２の記憶手段の有効活用を図ることができる。
【００２３】
請求項７の発明は、請求項４において、前記監視装置及び／又は制御装置は、自装置のハード構成を特定する種別情報を具備しており、前記第２の記憶手段は、各種別情報に対応して設けられ、前記情報保存手段は、前記不具合検出手段によって動作不具合を検出された監視装置又は制御装置が具備する種別情報に対応する第２の記憶手段に、当該動作不具合を検出された監視装置又は制御装置の設定情報を保存することを特徴とする。
【００２４】
この発明によれば、監視装置及び／又は制御装置の種別に応じて、設定情報を保存する第２の記憶手段を設定できるので、予備装置の互換性を活用することができる。
【発明の効果】
【００２５】
以上説明したように、本発明では、ネットワークに接続された監視装置及び／又は制御装置の最新の設定情報を確実にバックアップできるという効果がある。
【発明を実施するための最良の形態】
【００２６】
以下、本発明の実施の形態を図面に基づいて説明する。
【００２７】
（実施形態１）
図１は、本実施形態の機器管理システムの構成を示し、管理サーバ１と、制御装置２１と、監視装置２２と、予備装置２３とが、インターネット等の上位ネットワークＮＴ１を介して互いに接続されている。制御装置２１、監視装置２２、予備装置２３は、同一のハードウェア（プラットフォーム）からなるInternet Interface Unit（以下、コントロールユニットと称す）２０で構成され、コントロールユニット２０内に格納したプログラム及び設定情報によって制御装置２１、監視装置２２の各機能が実現されるとともに、上位ネットワークＮＴ１を介した通信が可能となる。設定情報とは、プログラム実行時に与えられるデータ（例えば、照明制御のプログラムであれば、パターン制御のデータ等）、及びＩＰアドレス等のネットワーク通信情報である。また、予備装置２３は、予備装置としての設定情報を格納している。
【００２８】
本実施形態では、制御装置２１として、照明制御を行う機能を具備した制御装置２１ａと、ＬＥＤ制御を行う機能を具備した制御装置２１ｂとを備える。制御装置２１ａは、下位ネットワークＮＴ２ａを介して複数の照明器具Ｋ１〜Ｋ５（被制御機器）が接続されており、照明器具Ｋ１〜Ｋ５の点灯、消灯、調光制御等を行う。制御装置２１ｂは、下位ネットワークＮＴ２ｂを介して複数のＬＥＤ器具Ｋ１１〜Ｋ１４（被制御機器）が接続されており、ＬＥＤ器具Ｋ１１〜Ｋ１４の点灯、消灯、調光制御等を行う。なお、制御装置２１と表すときは、制御装置２１ａ，２１ｂを含む、各機能を有する制御装置を指す。
【００２９】
監視装置２２には、電力計量を行う機能を具備した監視装置２２ａがあり、下位ネットワークＮＴ２ｃを介して複数の電気器具Ｋ２１〜Ｋ２６（被監視機器）が接続されており、電気器具Ｋ２１〜Ｋ２６の各消費電力を計量した監視情報を取得する。なお、監視装置２２と表すときは、監視装置２２ａを含む、各機能を有する監視装置を指す。
【００３０】
上記のように制御装置２１、監視装置２２を構成するコントロールユニット２０は、下位ネットワークＮＴ２（２ａ，２ｂ，２ｃ，．．．．．．）との接続手段として、ＲＳ−４８５、ＲＳ−２３２Ｃ、ＬＯＮ、ＤＸ−５１２、松下電工社が提唱するＮＭＡＳＴ（登録商標）等に各々対応した複数の入出力ポートを備えており、制御装置２１、監視装置２２が有する各機能に応じた通信プロトコルで構成された下位ネットワークＮＴ２が、対応するポートに接続される。例えば、図１のコントロールユニット２０は、○ポート、△ポート、□ポートを備えており、照明制御を行う機能を具備した制御装置２１ａは、○ポートに下位ネットワークＮＴ２ａを接続し、ＬＥＤ制御を行う機能を具備した制御装置２１ｂは、△ポートに下位ネットワークＮＴ２ｂを接続し、電力計量を行う機能を具備した監視装置２２ａは、□ポートに下位ネットワークＮＴ２ｃを接続している。
【００３１】
管理サーバ１は、上位ネットワークＮＴ１を介して、制御装置２１ａ，２１ｂ、監視装置２２ａとの間で互いに通信を行い、照明器具Ｋ１〜Ｋ５を制御するための制御情報を制御装置２１ａへ送出し、ＬＥＤ器具Ｋ１１〜Ｋ１４を制御するための制御情報を制御装置２１ｂへ送出し、さらには監視装置２２ａから電気器具Ｋ２１〜Ｋ２６の消費電力の監視情報を取得してモニタ画面に表示する。
【００３２】
図２は、管理サーバ１、コントロールユニット２０（制御装置２１、監視装置２２、予備装置２３）の各ブロック構成を示す。
【００３３】
管理サーバ１は、管理サーバ１の各動作を制御する中央演算部１ａと、各種データを記憶する記憶部１ｂと、コントロールユニット２０との間で上位ネットワークＮＴ１を介して通信を行うデータ同期通信部１ｃと、記憶媒体ソケット１ｄと、記憶媒体ソケット１ｄに脱着可能な記憶媒体１ｅとで構成され、監視制御端末として機能する。
【００３４】
コントロールユニット２０は、コントロールユニット２０の各動作を制御する中央演算部２０ａと、各種データを保存する記憶部２０ｂと、管理サーバ１との間で上位ネットワークＮＴ１を介して通信を行う同期通信部２０ｃと、記憶媒体１ｅを脱着可能な記憶媒体ソケット２０ｄと、被制御機器または被監視機器との間で下位ネットワークＮＴ２を介して制御情報または監視情報の授受を行う機器通信部２０ｅとで構成される。機器通信部２０ｅは、アプリケーション通信部２０ｆ及び下位通信部２０ｇとからなる。そして、記憶部２０に保存されたプログラム及び設定情報によって、制御装置２１、監視装置２２の各機能が実現されている。すなわち、制御装置２１ａには、照明制御を行う機能を実現するプログラム及び設定情報が保存され、制御装置２１ｂには、ＬＥＤ制御を行う機能を実現するプログラム及び設定情報が保存され、監視装置２２ａには、電力計量を行う機能を実現するプログラム及び設定情報が保存されている。
【００３５】
以下、機器管理システムの動作について説明する。
【００３６】
まず、管理サーバ１の中央演算部１ａは、データ同期通信部１ｃから上位ネットワークＮＴ１を介してコントロールユニット２０（制御装置２１、監視装置２２、予備装置２３）と通信を行い、各種情報の授受を行う。通常は、制御装置２１へ制御情報を送出する制御機能、及び監視装置２２から監視情報を取得して図示しないモニタ画面に表示させる監視機能を制御し、さらには、稼働中のコントロールユニット２０の各設定情報を取得して、記憶部１ｂに保存している。
【００３７】
記憶部１ｂは、稼働中のコントロールユニット２０から取得した各設定情報以外に、機器管理システム内の全てのコントロールユニット２０のプログラムデータ、及び稼働中のコントロールユニット２０の一覧情報、及び管理サーバとしての自己の設定情報も保存している。
【００３８】
そして、管理サーバ１は、記憶部１ｂに保存している制御装置２１、監視装置２２の各設定情報を最新のデータに定期的に更新しており［設定情報管理手段］、図３に示すように、管理サーバ１の中央演算部１ａは、制御装置２１、監視装置２２へ設定情報取得要求を定期的に送信する（Ｓ１、Ｓ４）。設定情報取得要求を受信した制御装置２１、監視装置２２は、自己の記憶部２０ｂに保存している設定情報を管理サーバ１へ転送する（Ｓ２，Ｓ５）。管理サーバ１の中央演算部１ａは、制御装置２１、監視装置２２から受信した各設定情報を記憶部１ｂ［第１の記憶手段］に上書保存することで、各設定情報を最新のデータに更新している［設定情報管理手段］（Ｓ３，Ｓ６）。
【００３９】
さらに、制御装置２１、監視装置２２において、記憶部２０ｂ内の設定情報が変更された場合には、当該制御装置２１、監視装置２２から変更後の設定情報を管理装置１へ送信し、管理サーバ１の中央演算部１ａは、当該受信した各設定情報を記憶部１ｂに上書保存しており、最新の情報をさらに確実にバックアップしている。
【００４０】
また、図４に示すように、管理サーバ１の中央演算部１ａは、記憶部１ｂに保存している自己の管理サーバとしての設定情報を定期的に取得し（Ｓ１１）、この自己の設定情報を記憶媒体ソケット１ｄを介して記憶媒体１ｅに保存しておく（Ｓ１２）。したがって、管理サーバ１の故障時（モニタ画面の停止、定期メール転送の中断、管理サーバの生存確認が取れない等）には、故障した管理サーバ１の記憶媒体１ｅを、図示しない予備サーバの記憶媒体ソケット２０ｄに装着し、記憶媒体１ｅ内の設定情報を予備サーバの記憶部１ｂに保存して、この予備サーバを管理サーバとして上位ネットワークＮＴ１に接続すれば、予備サーバが、最新の設定情報に基づいて管理サーバとしての動作を行う。
【００４１】
次に、制御装置２１、監視装置２２の故障時の動作について図５に基づいて説明する。まず、管理サーバ１の中央演算部１ａは、配下の制御装置２１、監視装置２２との音信不通状態を検出したとき、または配下の制御装置２１、監視装置２２から故障発生通知を受信したとき［不具合検出手段］（Ｓ２１）、当該故障した制御装置２１、監視装置２２のプログラム及び設定情報を記憶部１ｂから取得して（Ｓ２２）、記憶媒体１ｅ［第２の記憶手段］に保存する［情報保存手段］（Ｓ２３）。さらに、管理サーバ１の中央演算部１ａは、モニタ画面での表示、警告音発報、ＬＥＤ表示で周囲に故障発生を報知するとともに、上位ネットワークＮＴ１を介して本システムの管理者の図示しない端末へ故障連絡を行い、管理者は、故障した制御装置２１、監視装置２２をモニタ画面表示や故障連絡に基づいて容易に特定できる（Ｓ２４）。
【００４２】
管理者は、図６に示すように、管理サーバ１のモニタ画面上の操作釦等を操作して、中央演算部１ａが書き込みアプリケーションを起動することによって、この書き込みアプリケーションが、記憶媒体１ｅに保存している故障した制御装置２１、監視装置２２のプログラム及び設定情報を取得し（Ｓ３１）、当該取得したプログラム及び設定情報を、上位ネットワークＮＴ１に接続された予備装置２３に転送し（Ｓ３２）、予備装置２３の記憶部２０ｂに保存する（Ｓ３３）。
【００４３】
そして、管理者は、故障した制御装置２１または監視装置２２と、予備装置２３とを上位ネットワークＮＴ１から取り外し、予備装置２３を故障装置の代替品として上位ネットワークＮＴ１に再び取り付けた後、予備装置２３を起動させる。次に、管理者は、予備装置２３に転送されて記憶部２０ｂに保存されている設定情報から、故障した制御装置２１、監視装置２２のネットワーク通信情報を参照して、故障装置のＩＰアドレス等を予備装置２３に設定し、予備装置２３を故障装置の代わりに動作させれば、故障前の制御装置２１、監視装置２２と同様に動作する。
【００４４】
また、上位ネットワークＮＴ１に接続されていない予備装置２３がある場合には、図７に示すように、管理者が、管理サーバ１の記憶媒体１ｅを記憶媒体ソケット１ｄから取り外し、この記憶媒体１ｅを予備装置２３の記憶媒体ソケット２０ｄに装着する（Ｓ４１）。そして、代替品として上位ネットワークＮＴ１に接続された予備装置２３の中央演算部２０ａは、本装置の起動時、または起動後の実行時の操作入力（画面入力、ディップスイッチによる操作入力、有線・無線通信による操作入力）によって、記憶媒体１ｅに保存している故障した制御装置２１、監視装置２２のプログラム及び設定情報を、記憶部２０ｂに保存する（Ｓ４２）。そして、一度読み出しを行われた記憶媒体１ｅ内のデータは削除することで、記憶媒体１ｅ内の各情報が２台以上の予備装置２３に保存されることを防いでいる（Ｓ４３）。予備装置２３は、記憶部２０ｂに格納された故障装置の最新のプログラム及び設定情報に基づいて、被制御機器の制御動作または被監視機器の監視動作を行う自己設定機能を具備しており、予備装置２３は、ＩＰアドレス等の再設定を行う必要がなく、故障前の制御装置２１、監視装置２２と同様に動作する。
【００４５】
また、記憶媒体１ｅ内の各情報が２台以上の予備装置２３に保存されることを防ぐためには、記憶媒体１ｅに設定された未格納フラグを用いる構成も考えられる。この場合、記憶媒体１ｅに設定されている未格納フラグがオフ（すなわち、記憶媒体１ｅ内のデータは一度も読み出されていない）であれば、予備装置２３の起動時、または起動後の実行時の操作入力によって、記憶媒体ソケット２０ｄに保存している故障装置のプログラム及び設定情報を予備装置２３の記憶部１ｂに保存させた後に、未格納フラグをオンし、未格納フラグがオン（すなわち、記憶媒体１ｅ内のデータは既に読み出されている）であれば、データの読み出しを禁止にする。
【００４６】
このように本実施形態では、管理サーバ１の記憶部１ｂに保存されている各装置の設定情報は、一定期間毎に継続して、または制御装置２１、監視装置２２において記憶部２０ｂ内の設定情報が変更された場合に、中央演算部１ａが制御装置２１、監視装置２２から取得しているので、最新の設定情報がバックアップされている。そして、管理者は、故障発生時において、故障装置のプログラム及び設定情報を予備装置２３にリストアするだけでよく、迅速なシステムの復旧が可能となる。
【００４７】
（実施形態２）
本実施形態の機器管理システムの構成は実施形態１と同様に図１、図２に示される。以下、機器管理システムの動作について説明する。
【００４８】
まず、管理サーバ１の記憶部１ｂには、実施形態１と同様に、稼働中のコントロールユニット２０（制御装置２１、監視装置２２、予備装置２３）から取得した設定情報、機器管理システム内の全てのコントロールユニット２０のプログラムデータ、稼働中のコントロールユニット２０の一覧情報、及び管理サーバとしての自己の設定情報を保存している。
【００４９】
さらに、管理サーバ１は、実施形態１と同様に、一定期間毎に継続して、または制御装置２１、監視装置２２において記憶部２０ｂ内の設定情報が変更された場合に、記憶部１ｂに保存している制御装置２１、監視装置２２の各設定情報を最新のデータに更新している。
【００５０】
次に、制御装置２１、監視装置２２の故障時の動作について図８に基づいて説明する。まず、管理サーバ１の中央演算部１ａは、配下の制御装置２１、監視装置２２との音信不通状態を検出したとき、または配下の制御装置２１、監視装置２２から故障発生通知を受信したとき［不具合検出手段］（Ｓ５１）、当該故障した制御装置２１、監視装置２２のプログラム及び設定情報を記憶部１ｂから取得し（Ｓ５２）、上位ネットワークＮＴ１を介して予備装置２３へ転送する（Ｓ５３）。予備装置２３の中央演算部２０ａは、故障した制御装置２１、監視装置２２のプログラム及び設定情報を受信すると、記憶部２０ｂ［第２の記憶手段］に保存する［情報保存手段］（Ｓ５４）。
【００５１】
さらに、管理サーバ１の中央演算部１ａは、モニタ画面での表示、警告音発報、ＬＥＤ表示で周囲に故障発生を報知するとともに、上位ネットワークＮＴ１を介して本システムの管理者の図示しない端末へ故障連絡を行い、管理者は、故障した制御装置２１、監視装置２２をモニタ画面表示や故障連絡に基づいて特定できる。
【００５２】
そして、管理者は、故障した制御装置２１また監視装置２２と、予備装置２３とを上位ネットワークＮＴ１から取り外し、予備装置２３を故障装置の代替品として上位ネットワークＮＴ１に再び取り付けた後、予備装置２３を起動させる。次に、管理者は、予備装置２３に転送されて記憶部２０ｂに保存されている設定情報から、故障した制御装置２１、監視装置２２のネットワーク通信情報を参照して、故障装置のＩＰアドレス等を予備装置２３に設定し、予備装置２３を故障装置の代わりに動作させれば、故障前の制御装置２１、監視装置２２と同様に動作する。
【００５３】
このように、本実施形態では、制御装置２１、監視装置２２の故障時において、管理サーバ１が、故障した制御装置２１、監視装置２２のプログラム及び設定情報を予備装置２３へ自動で転送している。さらに、実施形態１と同様に、管理サーバ１の記憶部１ｂには、各装置の最新の設定情報がバックアップされている。
【００５４】
したがって、管理者は、故障発生時において、故障装置のＩＰアドレス等を予備装置２３に設定するだけでよく、迅速なシステムの復旧が可能となる。
【００５５】
（実施形態３）
本実施形態の機器管理システムの構成は実施形態１と同様に図１、図２に示される。以下、機器管理システムの動作について説明する。
【００５６】
実施形態2では、管理者が、故障装置のＩＰアドレス等を予備装置２３に設定したが、本実施形態では、管理者が、電源オフ状態の予備装置２３を故障装置の代替品として上位ネットワークＮＴ１に取り付けた後、予備装置２３の電源を再投入したタイミングで、予備装置２３は、記憶部２０ｂに保存されている設定情報から、故障装置のＩＰアドレス等を予備装置２３に自動設定している。したがって、予備装置２３は、再起動時に自己の設定情報を記憶部２０ｂに保存された設定情報に書き換える自己設定機能によって、ネットワーク通信情報を手動で設定する手間が省け、システムの復旧が簡単になる。
【００５７】
なお、予備装置２３に設定情報が転送された後で、故障した制御装置２１、監視装置２２がまだ使用できると管理者が判断した場合（例えば、制御装置２１、監視装置２２の単なる通信切断時等）、管理サーバ１のモニタ画面上の操作釦等の操作によって、予備装置２３の記憶部２０ａに転送されたプログラム及び設定情報を無効とする指示を上位ネットワークＮＴ１経由で予備装置２３へ送信する。無効設定された予備装置２３では、その後の不意の電源断による自己設定機能が動作せず、ＩＰアドレス等の自動切換えが行われないので、予備装置２３の不要な代替動作を事前に阻止できる。
【００５８】
（実施形態４）
本実施形態の機器管理システムの構成は実施形態１と同様に図１、図２に示される。以下、機器管理システムの動作について説明する。
【００５９】
まず、管理サーバ１の記憶部１ｂには、実施形態１と同様に、稼働中のコントロールユニット２０（制御装置２１、監視装置２２、予備装置２３）から取得した各設定情報、機器管理システム内の全てのコントロールユニット２０のプログラムデータ、及び稼働中のコントロールユニット２０の一覧情報、及び管理サーバとしての自己の設定情報を保存している。
【００６０】
制御装置２１には、照明制御を行う機能を具備した制御装置２１ａ（種別Ｘ）、ＬＥＤ制御を行う機能を具備した制御装置２１ｂ（種別Ｙ）等があり、監視装置２２には、電力計量を行う機能を具備した監視装置２２ａ（種別Ｚ）等があり、制御装置２１、監視装置２２には各機能に対応した種別が各々割り当てられて、制御装置２１、監視装置２２の各記憶部２０ｂには種別情報が予め格納されている。
【００６１】
これらの制御装置２１ａ、制御装置２１ｂ、監視装置２２ａ等は、図２に表されるコントロールユニット２０で構成されるが、種別毎に特有のハード構成が備わるため、使用するコントロールユニット２０が種別毎に異なる。そこで、本実施形態では、種別毎に異なる予備装置２３を用意しており、図９に示すように、照明制御を行うための予備装置２３ａ、ＬＥＤ制御を行うための予備装置２３ｂ、電力計量を行うための予備装置２３ｃを上位ネットワークＮＴ１に接続して、予備装置２３ａ，２３ｂ，２３ｃの各記憶部２０ｂには種別情報を予め格納しておく。
【００６２】
また、管理サーバ１の記憶部１ｂには、制御装置２１、監視装置２２、予備装置２３に各々対応した種別情報が、システム構成要素情報として予め格納されている。あるいは、管理サーバ１から必要に応じて、種別情報返信要求を制御装置２１、監視装置２２、予備装置２３へ送信し、その返信された種別情報をシステム構成要素情報として記憶部１ｂに格納してもよい。
【００６３】
そして、管理サーバ１は、一定期間毎に継続して、または制御装置２１、監視装置２２において記憶部２０ｂ内の設定情報が変更された場合に、制御装置２１、監視装置２２から設定情報を取得し、記憶部１ｂに保存している各装置の設定情報を最新のデータに更新している。
【００６４】
次に、制御装置２１、監視装置２２の故障時の動作について図９に基づいて説明する。まず、管理サーバ１の中央演算部１ａは、配下の制御装置２１、監視装置２２との音信不通状態を検出したとき、または配下の制御装置２１、監視装置２２から故障発生通知を受信したとき（図９では照明制御を行う制御装置２１ａが故障している）［不具合検出手段］（Ｓ６１）、当該故障した制御装置２１ａのプログラム、設定情報、及び種別情報を記憶部１ｂから取得する（Ｓ６２）。そして、中央演算部１ａは、制御装置２１ａのプログラム及び設定情報を、取得した種別情報と同一の種別情報を具備する予備装置２３ａへ、上位ネットワークＮＴ１を介して転送する（Ｓ６３）。予備装置２３ａは、照明制御を行うための予備装置であり、予備装置２３ａの中央演算部２０ａは、故障した制御装置２１ａのプログラム及び設定情報を受信すると、記憶部２０ｂ［第２の記憶手段］に保存する［情報保存手段］（Ｓ６４）。
【００６５】
さらに、管理サーバ１の中央演算部１ａは、モニタ画面での表示、警告音発報、ＬＥＤ表示で周囲に故障発生を報知するとともに、上位ネットワークＮＴ１を介して本システムの管理者の図示しない端末へ故障連絡を行い、管理者は、故障した制御装置２１ａをモニタ画面表示や故障連絡に基づいて特定できる。
【００６６】
そして、管理者は、故障した制御装置２１ａと予備装置２３ａとを上位ネットワークＮＴ１から取り外し、予備装置２３ａを故障した制御装置２３ａの代替品として上位ネットワークＮＴ１に再び取り付けた後、予備装置２３ａを起動させる。次に、管理者は、予備装置２３ａに転送されて記憶部２０ｂに保存されている設定情報から、故障した制御装置２１ａのネットワーク通信情報を参照して、制御装置２１ａのＩＰアドレス等を予備装置２３ａに設定し、予備装置２３ａを制御装置２１ａの代わりに動作させれば、故障前の制御装置２１ａと同様に動作する。
【００６７】
このように、本実施形態では、制御装置２１、監視装置２２の故障時において、管理サーバ１が、故障した制御装置２１、監視装置２２のプログラム及び設定情報を、故障した装置と同様の機能を有する予備装置２３へ自動で転送している。
【００６８】
さらに、実施形態１と同様に、管理サーバ１の記憶部１ｂに保存されている各装置の設定情報は、一定期間毎に継続して、または制御装置２１、監視装置２２において記憶部２０ｂ内の設定情報が変更された場合に、中央演算部１ａが制御装置２１、監視装置２２から取得しているので、最新の設定情報がバックアップされている。
【００６９】
したがって、管理者は、故障発生時において、故障装置のＩＰアドレス等を予備装置２３に設定するだけでよく、迅速なシステムの復旧が可能となる。
【００７０】
また、予備装置２３ａ，２３ｂ，２３ｃに上位互換の関係を持たせてもよく、例えば、予備装置２３ｂ（種別Ｙ）を予備装置２３ａ（種別Ｘ）の上位互換機とした場合、この上位互換情報を管理サーバ１の記憶部１ｂに予め保存しておく。そして、上記同様に制御装置２１ａが故障した場合に、予備装置２３ａが上位ネットワークＮＴ１に接続されていなければ、管理サーバ１は、予備装置２３ａの上位互換機である制御装置２３ｂに対して、故障した制御装置２１ａのプログラム及び設定情報を転送する。また、上位互換情報は、予備装置２３ｂが、管理サーバ１からの種別返信要求に対して種別Ｘと種別Ｙの種別情報を同時に返信することで、管理サーバ１が取得する構成でもよい。
【００７１】
上述の各実施形態では、バックアップされる設定情報として、プログラム実行時に与えられるデータ（例えば、照明制御のプログラムであれば、パターン制御のデータ等）、及びＩＰアドレス等のネットワーク通信情報を挙げている。しかし、制御装置２１、監視装置２２の各機能を実現するプログラムを当該設定情報に含んで上記同様にバックアップしてもよく、この場合、制御装置２１、監視装置２２の記憶部２０ｂに保存されている最新のプログラムが、プログラム実行時に与えられるデータ及びネットワーク通信情報とともに管理サーバ１にバックアップされ、制御装置２１、監視装置２２の故障発生時にはさらに迅速なシステムの復旧が可能となる。
【図面の簡単な説明】
【００７２】
【図１】実施形態１の機器管理システムの構成を示す図である。
【図２】同上の管理サーバ、コントロールユニットの各ブロック構成を示す図である。
【図３】同上のコントロールユニットからの設定情報取得のシーケンスを示す図である。
【図４】同上の管理サーバの設定情報取得のシーケンスを示す図である。
【図５】同上の不具合発生時の設定情報保存のシーケンスを示す図である。
【図６】同上の予備装置への設定情報転送のシーケンスを示す図である。
【図７】同上の予備装置への設定情報保存のシーケンスを示す図である。
【図８】実施形態２の不具合発生時の設定情報転送のシーケンスを示す図である。
【図９】実施形態４の不具合発生時の設定情報転送のシーケンスを示す図である。
【図１０】従来の機器管理システムの構成を示す図である。
【符号の説明】
【００７３】
１  管理サーバ
２０  コントロールユニット
２１ａ，２１ｂ  制御装置
２２ａ  監視装置
２３  予備装置
Ｋ１〜Ｋ５  照明器具
Ｋ１１〜Ｋ１５  ＬＥＤ器具
Ｋ２１〜Ｋ２６  電気器具
ＮＴ１  上位ネットワーク
ＮＴ２  下位ネットワーク
【図１】
2009009246.tif 000003
【図２】
2009009246.tif 000004
【図３】
2009009246.tif 000005
【図４】
2009009246.tif 000006
【図５】
2009009246.tif 000007
【図６】
2009009246.tif 000008
【図７】
2009009246.tif 000009
【図８】
2009009246.tif 000010
【図９】
2009009246.tif 000011
【図１０】
2009009246.tif 000012